(57)【要約】【課題】メンテナンス時における灯器筐体の前面側の開閉が容易であり、コスト高を招く虞もなく、しかも、灯器筐体の前面側を開いている状況下でも、光源からの光を本来の視認方向から容易に見ることができ、交通事情を損なう虞のない信号灯器を提供する。【解決手段】灯器筐体１１は、据え付け箇所に固定されるケース状の本体１２と、該本体１２の前面側に開閉可能に設けられ、ＬＥＤユニット２０からの光を前方へ透過させる前面カバー１６を正面側に備えた蓋体１３とからなり、本体１２の内部にて、蓋体１３を開いた際にもＬＥＤユニット２０から光を前方へ照射可能な状態に、該ＬＥＤユニット２０を配設した。【選択図】図１
2014127136.tif 000002
【特許請求の範囲】
【請求項１】
光源を灯器筐体の内部に備えた信号灯器において、
前記灯器筐体は、据え付け箇所に固定されるケース状の本体と、該本体の前面側に開閉可能に設けられ、前記光源からの光を前方へ透過させる前面カバーを正面側に備えた蓋体とからなり、
前記本体の内部にて、前記蓋体を開いた際にも前記光源から光を前方へ照射可能な状態に該光源を配設したことを特徴とする信号灯器。
【請求項２】
前記光源は、基板上に実装されたＬＥＤであり、他の関連部品も含むユニットとして構成され、
前記本体は、前記ユニットの厚さに合わせた奥行き方向に底浅なケース状に形成され、
前記蓋体は、前記本体の前面開口を閉じる略平板状に形成され、その正面側に同じく平板状に形成された前記前面カバーが連続した平面をなす状態に組み込まれていることを特徴とする請求項１に記載の信号灯器。
【請求項３】
前記灯器筐体の内部に、前記光源の前面側に配置され、該光源からの光の視認角度を制限する視角制限プレートを収納したことを特徴とする請求項１または２に記載の信号灯器。
【請求項４】
前記前面カバーを、前記光源からの光の視認角度を制限する視角制限プレートを兼ねるように構成したことを特徴とする請求項１または２に記載の信号灯器。
【発明の詳細な説明】
【技術分野】
【０００１】
本発明は、車両や通行人に通行許可ないし停止指示その他の交通規制情報を視認させるための信号灯器であり、光源を灯器筐体の内部に備えた信号灯器に関する。
【背景技術】
【０００２】
従来より、この種の信号灯器は、奥行きのある横長あるいは縦長の立方体ケース状の灯器筐体の内部に、光源として例えば多数のＬＥＤを基板上に実装したものを収納し、灯器筐体の前面側が蓋体として開閉可能に構成され、この蓋体には透明の前面カバーが設けられていた。
【０００３】
このように光源にＬＥＤを採用した信号灯器では、一般的にＬＥＤやその基板が他の関連部品と組み合わされてＬＥＤユニットとして構成されている。そして、このＬＥＤユニットは、特許文献１の段落００２０にも記載のとおり、通常は灯器筐体のうち本体側の内部ではなく、灯器筐体の前面側、すなわち開閉可能な蓋体に固定されていた。
【先行技術文献】
【特許文献】
【０００４】
【特許文献１】特開２００２−１９７５９２号公報
【発明の概要】
【発明が解決しようとする課題】
【０００５】
しかしながら、前述した特許文献１に記載の従来技術では、信号灯器（特にＬＥＤユニット）のメンテナンス時において、灯器筐体の前面側にある蓋体を開く際に、軽量化されているとはいえＬＥＤユニットも含めて持ち上げなければならず、メンテナンス時の開閉作業が面倒であると共に、蓋体を開いた状態に保持する機構も相当な強度が必要であり、余計なコストアップの要因となっていた。
【０００６】
また、蓋体を開いた状態においては、信号灯器におけるＬＥＤから照射されている光を、設置場所における運転者や歩行者らは本来の信号灯器の視認方向からは確認することができない。よって、メンテナンスが長引く場合には交通事情に大きな影響を及ぼしたり、あるいは別方向への光の照射によって、運転者や歩行者らに誤解を招く虞もあった。
【０００７】
本発明は、以上のような従来技術の有する問題点に着目してなされたものであり、メンテナンス時における灯器筐体の前面側の開閉が容易であり、コスト高を招く虞もなく、しかも、灯器筐体の前面側を開いている状況下でも、光源からの光を本来の視認方向から容易に見ることができ、交通事情を損なう虞のない信号灯器を提供することを目的としている。
【課題を解決するための手段】
【０００８】
前述した目的を達成するための本発明の要旨とするところは、以下の各項の発明に存する。  
［１］光源（２３）を灯器筐体（１１）の内部に備えた信号灯器（１０）において、
前記灯器筐体（１１）は、据え付け箇所に固定されるケース状の本体（１２）と、該本体（１２）の前面側に開閉可能に設けられ、前記光源（２３）からの光を前方へ透過させる前面カバー（１６）を正面側に備えた蓋体（１３）とからなり、
前記本体（１２）の内部にて、前記蓋体（１３）を開いた際にも前記光源（２３）から光を前方へ照射可能な状態に該光源（２３）を配設したことを特徴とする信号灯器（１０）。
【０００９】
［２］前記光源は、基板（２４）上に実装されたＬＥＤ（２３）であり、他の関連部品も含むユニットとして構成され、
前記本体（１２）は、前記ユニットの厚さに合わせた奥行き方向に底浅なケース状に形成され、
前記蓋体（１３）は、前記本体（１２）の前面開口を閉じる略平板状に形成され、その正面側に同じく平板状に形成された前記前面カバー（１６）が連続した平面をなす状態に組み込まれていることを特徴とする［１］に記載の信号灯器（１０）。
【００１０】
［３］前記灯器筐体（１１）の内部に、前記光源（２３）の前面側に配置され、該光源（２３）からの光の視認角度を制限する視角制限プレート（３０）を収納したことを特徴とする［１］または［２］に記載の信号灯器（１０）。
【００１１】
［４］前記前面カバー（１６）を、前記光源（２３）からの光の視認角度を制限する視角制限プレート（３０）を兼ねるように構成したことを特徴とする［１］または［２］に記載の信号灯器（１０）。
【００１２】
次に、前述した解決手段に基づく作用を説明する。  
前記［１］に記載の信号灯器（１０）によれば、灯器筐体（１１）は、据え付け箇所に固定されるケース状の本体（１２）と、該本体（１２）の前面側に開閉可能に設けられた蓋体（１３）とからなり、灯器筐体（１１）の内部に設けた光源（２３）からの光は、蓋体（１３）にある前面カバー（１６）を透過して前方へと照射される。
【００１３】
ここで光源（２３）は、灯器筐体（１１）のうち、従来のような蓋体（１３）側ではなく、本体（１２）の内部にて、前記蓋体（１３）を開いた際にも光源（２３）から光を前方へ照射可能な状態に配設される。これにより、メンテナンス時に開閉させる蓋体（１３）には光源（２３）等の重量物が付加されることがなく、蓋体（１３）側の重量を大幅に軽量化することができる。
【００１４】
しかも、蓋体（１３）を開いた際にも、本体（１２）の内部にある光源（２３）からの光は、蓋体（１３）の前面カバー（１６）を通さずとも、そのまま前方へ照射できる。これにより、蓋体（１３）を開いた状況下でも、光源（２３）からの光を運転者や歩行者らは本来の視認方向から容易に見ることができ、メンテナンスが長引くような場合でも、交通事情に大きな影響を及ぼすことはない。
【００１５】
前記［２］に記載の信号灯器（１０）によれば、前記光源は、基板（２４）上に実装されたＬＥＤ（２３）であり、他の関連部品も含むユニットとして構成される。また、前記本体（１２）は、ユニットの厚さに合わせた奥行き方向に底浅なケース状に形成され、前記蓋体（１３）は、本体（１２）の前面開口を閉じる略平板状に形成され、その正面側に同じく平板状に形成された前面カバー（１６）が連続した平面をなす状態に組み込むように構成する。
【００１６】
このような構成によれば、ＬＥＤ（２３）のユニットの厚さに合わせて、灯器筐体（１１）を全体的に極めて薄型に形成することが可能となる。よって、信号灯器（１０）の据え付け箇所における実質的な配置スペースも極力小さくすることができ、省スペース化の要請に応じた据え付けを実現することができる。
【００１７】
前記［３］に記載の信号灯器（１０）によれば、前記灯器筐体（１１）の内部に、光源（２３）の前面側に配置され、該光源（２３）からの光の視認角度を制限する視角制限プレート（３０）を収納する。これにより、灯器筐体（１１）の外壁にフード（庇）やルーバー等の余計な構成を付加したり、外観に影響を与えることなく、視認角度を制限することが可能となる。
【００１８】
あるいは、前記［４］に記載の信号灯器（１０）のように、前面カバー（１６）を、光源（２３）からの光の視認角度を制限する視角制限プレート（３０）を兼ねるように構成しても良い。これにより、部品点数を削減することができ、また、既存の信号灯器における従来形の前面カバーを本発明の視角制限プレート（３０）に取り替えるだけで、簡単に実施することができる。
【発明の効果】
【００１９】
本発明に係る信号灯器によれば、メンテナンス時における灯器筐体の前面側の開閉が容易であり、コスト高を招く虞もなく、しかも、灯器筐体の前面側を開いている状況下でも、光源からの光を本来の視認方向から容易に視認することができ、交通事情を損なう虞もない。
【図面の簡単な説明】
【００２０】
【図１】本発明の第１実施の形態に係る信号灯器の灯器筐体を開いた状態を示す斜視図である。
【図２】本発明の第１実施の形態に係る信号灯器の灯器筐体を開いた状態を示す正面図である。
【図３】本発明の第１実施の形態に係る信号灯器を示す正面図である。
【図４】本発明の第１実施の形態に係る信号灯器を示す断面図である。
【図５】本発明の第１実施の形態に係る信号灯器を示す斜視図である。
【図６】本発明の第１実施の形態に係る信号灯器のフレーム構造を示す斜視図である。
【図７】本発明の第２実施の形態に係る信号灯器を示す断面図である。
【図８】本発明の第２実施の形態に係る信号灯器に備える視角制限プレートを示す断面図である。
【発明を実施するための形態】
【００２１】
以下、図面に基づき本発明を代表する各種実施の形態を説明する。  
図１〜図６は、本発明の第１実施の形態を示している。  
本実施の形態に係る信号灯器１０は、道路の交差点や鉄道線路等に設置されるものであり、図１，図２に示すように、灯器筐体１１の内部に光源をなすＬＥＤユニット２０が組み込まれて構成されている。信号灯器１０は、正面視で左右方向に延びた長方形であり、奥行き方向に底浅な箱状に形成されている。
【００２２】
灯器筐体１１は、据え付け箇所に固定されるケース状の本体１２と、該本体１２の前面側に開閉可能に設けられた蓋体１３とからなる。本体１２は、後述するＬＥＤユニット２０の厚さに合わせた奥行き方向に底浅なケース状に形成され、その内部は各ＬＥＤユニット２０ごとに補強用のリブ１２ａで区画されており、関連部品を必要に応じて内蔵し得るスペースを備えている。各リブ１２ａは、本体１２の上下辺に対して一体に固設されており、一方のリブ１２ａ上には組端子台１７が配設され、他方のリブ１２ａ上にはコードブッシュ１８（図２参照）が配設されている。
【００２３】
このような本体１２の内部にて、ＬＥＤユニット２０は、蓋体１３を開いた際にも光を前方へ照射可能な状態に配設されている。詳しく言えば、本体１２の底面部には、各ＬＥＤユニット２０を定位置に固定するための爪状の掛止片１２ｂが設けられており、この掛止片１２ｂで後述するＬＥＤユニット２０のケース２１を周方向に等間隔な位置で止めることができるようになっている。ここでＬＥＤユニット２０は、その前面が蓋体１３の正面内側に平行に対向する状態に配置される。
【００２４】
蓋体１３は、前記本体１２の前面開口を閉じる略平板状に形成され、その正面側に同じく平板状に形成された前面カバー１６が連続した平面をなす状態に組み込まれている。本体１２と蓋体１３とは、それぞれ上端縁が互いにヒンジ１４を介して連結されており、また、本体１２の下端縁には、蓋体１３の下端縁に係止する周知の留め具１５が設けられている。
【００２５】
前面カバー１６は、ＬＥＤユニット２０からの光を前方へ透過させるものであり、例えば透明のガラスまたは合成樹脂からＬＥＤユニット２０の形状に合致した円板状に形成されている。この前面カバー１６は無色透明が適するが、後述するＬＥＤ２３の発光色に合わせて着色しても良い。また、本実施の形態では、単に光を透過させるためだけの性質を有するように形成されているが、レンズ的な機能や光を拡散させる機能を備えるようにしても良い。
【００２６】
図３，図４に示すように、蓋体１３には、横並びに３つ円形の開口部１３ａが設けられており、前面カバー１６の正面は開口部１３ａに嵌合して、蓋体１３の正面壁と連続した平面をなしている。図１に示すように、前面カバー１６の外周には、取り付け用の底浅なフランジ１６ａが一体に設けられている。
【００２７】
一方、蓋体１３の各開口部１３ａの周囲内側には、前記フランジ１６ａを位置決めして取り付けるための取付部（図示省略）が設けられている。なお、蓋体１３は、本体１２の前面開口に合致した長方形の平板状に形成されているが、実際はその周囲に極めて底浅な位置決め用のフランジ１３ｂが一体に設けられている。
【００２８】
図６に示すように、灯器筐体１１を構成するためのフレーム構造１００は、中空部を備えた閉断面形状の押出成形品を曲げ加工して外周枠１１０を形成し、該外周枠１１０の背面側開口を閉じるように薄板状のリアパネル１２０を装着し、外周枠１１０の正面側開口には薄板状のフロントパネル１３０を開閉可能に装着してなる。
【００２９】
前記押出成形品は、アルミニウムあるいはアルミニウム合金等の軽量金属材料により、直線状に押し出し成形されたものであり、曲げ加工時における曲げ方向に対して直交する方向に複数の中空部（図示せず）が並んだ閉断面形状を有している。押出成形品は一対として用意されており、外周枠１１０の上下半分ずつを形成すべく、互いに対称形に曲げ加工された上側のアッパーパーツ１１０ａとロアパーツ１１０ｂとが、それぞれ両端部を対接させた状態で固定されている。
【００３０】
図１，図４に示すように、ＬＥＤユニット２０は、３色灯（三位式）の交通信号灯器に適用される場合は、青、黄、赤の点灯色ごとに個別の灯器として前記灯器筐体１１の蓋体１３側に組み付けられて、外部から供給された電気信号に応じて点灯するユニットである。このＬＥＤユニット２０は、前方に向かって開口する有底円筒体からなるケース２１を有している。
【００３１】
前記ケース２１の前面開口は、光源をなすＬＥＤ２３の基板２４で覆われている。図４に示すように、基板２４は、ケース２１の前面開口よりやや前方の位置にてボス等の取付部２２にネジ止めされており、前面開口との間に放熱用の隙間を空けた状態で配されている。ここで基板２４は、一般的なプリント配線基板であり、その円形の表面側には多数のＬＥＤ２３が実装されている。
【００３２】
ＬＥＤ２３は、発光素子を略砲弾型のモールドに埋め込んだＬＥＤランプに限らず、リード線上に実装された発光素子のみからなるＬＥＤチップでも良い。各ＬＥＤユニット２０ごとに、３色灯の場合は図２の正面視で左から順に青色、黄色、赤色と、それぞれの灯色に発光するＬＥＤ２３が用いられている。
【００３３】
また、基板２４の裏面側等の適所には、図示省略したが電線や信号線等を接続するコネクタが設けられており、電源ユニットや点灯制御を行う制御装置等に接続されている。さらに、ＬＥＤ２３の光量は専用のスイッチによって任意に調整できるように設定されている。
【００３４】
次に、第１実施の形態に係る信号灯器１０の作用について説明する。  
本信号灯器１０によれば、図１，図２に示すように、灯器筐体１１は、据え付け箇所に固定されるケース状の本体１２と、該本体１２の前面側に開閉可能に設けられた蓋体１３とからなり、灯器筐体１１の内部に設けた光源であるＬＥＤ２３からの光は、蓋体１３にある前面カバー１６を透過して前方へと照射される。
【００３５】
ここでＬＥＤ２３を含むＬＥＤユニット２０は、灯器筐体１１のうち、従来のような蓋体１３側ではなく、本体１２の内部にて、前記蓋体１３を開いた際にもＬＥＤ２３から光を前方へ照射可能な状態に配設される。すなわち、ＬＥＤユニット２０のケース２１は、本体１２の底面部にある掛止片１２ｂによって、ＬＥＤ２３の基板２４が蓋体１３の正面内側に平行となる状態に配設される。
【００３６】
このようなＬＥＤユニット２０の配設により、メンテナンス時に開閉させる蓋体１３にはＬＥＤユニット２０に関連した重量物が付加されることがなく、蓋体１３側の重量を大幅に軽量化することができ、蓋体１３の開閉動作が容易となる。しかも、蓋体１３を開いた際にも、本体１２の内部にあるＬＥＤ２３から光は、蓋体１３の前面カバー１６を通さずとも、そのまま前方へ照射される。これにより、蓋体１３を開いた状況下でも、ＬＥＤ２３からの光を運転者や歩行者らは本来の視認方向から容易に見ることができ、メンテナンスが長引くような場合でも、交通事情に大きな影響を及ぼすことはない。
【００３７】
特に、本実施の形態に係る信号灯器１０は、光源が嵩張らない形状・大きさのＬＥＤユニット２０からなり、灯器筐体１１の本体１２は、このＬＥＤユニット２０の厚さに合わせた奥行き方向に底浅なケース状に形成されている。また、蓋体１３は、本体１２の前面開口を閉じる略平板状に形成され、その正面側に同じく平板状に形成された前面カバー１６が連続した平面をなす状態に組み込むように構成されている。
【００３８】
このような構成の信号灯器１０はいわゆるフラット型と称され、ＬＥＤユニット２０の厚さに合わせて、灯器筐体１１を全体的に極めて薄型に形成することが可能となる。よって、信号灯器１０の据え付け箇所における実質的な配置スペースも極力小さくすることができ、省スペース化の要請に応じた据え付けを実現することができる。
【００３９】
なお、信号灯器１０の前述したフレーム構造１００によれば、灯器筐体１１のうち強度が必要な部分を押出成形品を曲げ加工するだけで形成し、強度が不要な灯器筐体１１の背面には薄板状のリアパネル１２０を使用することで、簡易な構成でも必要な強度を得ることができ、さらなる軽量化も実現できる。しかも、設備的には、押出成形品のための専用の口金を用意して汎用の押出機に装備すれば良く、製造コストも低減することができる。
【００４０】
図７，図８は、本発明の第２実施の形態を示している。  
本実施の形態に係る信号灯器１０Ａは、前述した第１実施の形態に係る信号灯器１０と灯器筐体１１およびＬＥＤユニット２０の基本的な構造は共通するが、灯器筐体１１の内部にて、ＬＥＤユニット２０の前面側に視角制限プレート３０を配置した点で異なる。なお、第１実施の形態と同種の部位には同一符号を付して重複した説明を省略する。
【００４１】
視角制限プレート３０は、ＬＥＤユニット２０のＬＥＤ２３からの光の視認角度を制限するものであり、具体的には例えば、光が透過する薄板状内部に細幅形で長手方向に延びる遮光性の光遮断部が複数列に並ぶ状態に配置してなる。詳しくは図８に示すように、前記薄板状内部をなす透明樹脂から成形したプレート板３１の内部に、前記各光遮断部３２をなす不透明樹脂を所定間隔おきに積層させて一体成形している。ここで各光遮断部３２の互いに対向する両側面３２ａ，３２ａには、少なくとも前方（前面カバー１６の正面外側に向かう方向）への光反射を防止する処理が施されている。
【００４２】
各光遮断部３２の互いに対向する両側面３２ａ，３２ａは、それぞれプレート板３１の平面方向に等間隔で離間している。ここで各光遮断部３２の厚さ、すなわち両側面３２ａ，３２ａ間の大きさは、本実施の形態では例えば０．２ｍｍに設定され、また、互いの間隔は、本実施の形態では例えば０．７ｍｍに設定されている。これらの具体的な寸法は、信号灯器１０に求められる視認角度の制限範囲に応じて適宜設定すれば良い。
【００４３】
特に、プレート板３１の厚さと各光遮断部３２同士の間隔の値との比率によって、前記ＬＥＤ２３からの光の視認角度を所望の角度範囲に制限することが可能となる。また、各光遮断部３２自体の厚さは、前記ＬＥＤ２３の光量を低減させない観点より、なるべく小さい値として薄く設定することが好ましい。なお、視角制限プレート３０の配置に関して、各光遮断部３２が縦列に並ぶ配置とすれば、左右方向における視認角度を制限することになり、各光遮断部３２が横列に並ぶ配置とすれば、上下方向、すなわち遠近における視認角度を制限することになる。
【００４４】
プレート板３１は、無色透明の樹脂であれば何でも良いが、具体的には例えば、アクリル樹脂、ポリカーボネート樹脂（ＰＣ）、ＡＳＡ樹脂（ＡＳＡ）等が適している。また、光遮断部３２は、着色不透明の樹脂であれば何でも良いが、具体的には例えば、前述したアクリル樹脂等に黒色系の着色剤としてカーボンブラックや酸化チタンを含有させれば良い。ここで重要となるのが、光遮断部３２の両側面３２ａ，３２ａにおける表面加工であるが、少なくとも前方（前面カバー１６の正面外側に向かう方向）への光反射を防止する処理を施す。
【００４５】
光反射を防止する処理としては、具体的には例えば両側面３２ａ，３２ａに、プレート板３１である透明樹脂との境界面での光の反射を低減する微細凹凸を、公知のすりガラス処理やエンボス加工ないし植毛加工で形成したり、両側面３２ａ，３２ａにノコギリ断面の数多の筋を形成したり、細かなリブ状の突起を予め一体成形するように加工しても良い。要は、プレート板３１と光遮断部３２の両側面３２ａ，３２ａとの境界面で反射された光が、前面カバー１６の正面外側に向かう方向、特に各光遮断部３２の間となるプレート板３１の端面より広角に拡がるような光の反射を抑制できる構造であれば何でも良い。
【００４６】
視角制限プレート３０を樹脂で一体成形する場合には、その成形時においてプレート板３１と接する光遮断部３２の両側面３２ａ，３２ａに、不透明な微粒子を混入させるように成形すれば、簡易に光反射を防止する処理を行うことができる。ここで視角制限プレート３０の具体的な成形方法とは、プレート板３１と光遮断部３２を同時に押出成形する方法であって、第１の押出機から押し出される前記プレート板３１の透明樹脂と、第２の押出機から押し出される前記光遮断部３２の不透明樹脂とを金型内で合流させ、この金型から押し出される合流物をサイジングダイを通過させて前記視角制限プレート３０を得る。
【００４７】
また、視角制限プレート３０の具体的な配置としては、灯器筐体１１の内部において、前記ＬＥＤ２３の基板２４と、該基板２４の前方に配された前面カバー１６との間に介装させる。ここで視角制限プレート３０は、図７に示したように、前記前面カバー１６の裏面側（内側）に重ね合わせるように一体に設けても良いが、基板２４の前方に一体に組み付けても良い。
【００４８】
このような第２実施の形態によれば、視角制限プレート３０では、その後方に配されるＬＥＤ２３から照射された光を、各光遮断部３２の隙間より前方に向けて所定の角度範囲内でのみ通すため、信号灯器１０の左右方向における視認角度を所定の角度範囲内に制限することになる。ここで視角制限プレート３０における各光遮断部３２の配置と、基板２４上におけるＬＥＤ２３の配置とは必ずしも一致する必要はなく、また、ＬＥＤ２３に限らず様々な種類の光源に対しても、視角制限プレート３０を汎用的に適用することができる。
【００４９】
前記視角制限プレート３０における各光遮断部３２の互いに対向する両側面には、少なくとも前方への光反射を防止する処理を施す。ここでの処理とは前述したように、視角制限プレート３０を樹脂で一体成形する場合には、その成形時にプレート板３１と接する光遮断部３２の両側面３２ａ，３２ａに、不透明な微粒子を混入させるように成形すれば良い。何れの方法にせよ、各光遮断部３２の両側面３２ａで前方への光反射を防止することにより、光が視認角度の制限域外に無用に漏れることがなくなり、ＬＥＤ２３からの光の視認角度を確実に制限することができる。
【００５０】
また、視角制限プレート３０を樹脂成形品としたことにより、取り扱いが容易となり、十分な強度も確保することができると共に、各光遮断部３２の隙間に異物が入り込む虞もない。しかも、視角制限プレート３０は全体形状が薄板状となり、嵩張ることがなく灯器筐体１１の内部に容易に納めることができる。特に、視角制限プレート３０を灯器筐体１１の内部に設けることにより外部に露出しないため、風や降雪の影響を受けることもなく、コンパクトに配置させることが可能となり、省スペース化への要請にも応じることができる。
【００５１】
さらに、視角制限プレート３０を、前面カバー１６のある蓋体１３側ではなく、本体１２側のＬＥＤユニット２０における基板２４の前方に一体に組み付けても良い。かかる場合には、蓋体１３を開いた際にも、ＬＥＤ２３からの光の視認角度をそのまま制限することができる。
【００５２】
なお、他の実施の形態として、前面カバー１６自体を、ＬＥＤ２３からの光の視認角度を制限する視角制限プレートを兼ねるように構成しても良い。かかる場合には、部品点数を削減することができる。また、既存の信号灯器における前面カバーを本発明の視角制限プレートを兼ねた前面カバーに取り替えるだけで、簡単に実施することも可能となる。
【００５３】
以上、本発明の実施の形態を図面によって説明してきたが、具体的な構成はこれらの実施の形態に限られるものではなく、本発明の要旨を逸脱しない範囲における変更や追加があっても本発明に含まれる。例えば、前記各実施の形態では、３色灯（三位式）に用いるＬＥＤユニット２０に適用した例を説明したが、これに限られることなく、例えば２色灯の歩行者用信号灯器や矢印灯器や一灯点滅灯器等の他の信号灯器にも適用することができる。あるいは、３色灯（三位式）に矢印灯器や一灯点滅灯器を付加したタイプでも良い。
【００５４】
また、前記第２実施の形態に係る視角制限プレート３０は、そのプレート板３１の厚さや各光遮断部３２の縦列あるいは横列の向きや寸法等については、実際の信号灯器に求められる視認角度の制限範囲に応じて適宜設定すれば良い。さらに、視角制限プレート３０は、樹脂成形品に限られることなく、例えば他の構成として、薄板状の内部を囲むような矩形の枠組み内に各光遮断部を並べるように配設して構成しても良い。なお、信号灯器１０，１０Ａは、灯器筐体１１を薄型に形成したフラット型に限られるものでもない。
【産業上の利用可能性】
【００５５】
本発明は車両や通行人に通行許可ないし停止指示その他の交通規制情報を視認させるための様々な信号灯器に広く利用することができる。
【符号の説明】
【００５６】
１０…信号灯器
１０Ａ…信号灯器
１１…灯器筐体
１２…本体
１２ａ…リブ
１２ｂ…掛止片
１３…蓋体
１３ａ…開口部
１３ｂ…フランジ
１４…ヒンジ
１５…留め具
１６…前面カバー
１６ａ…フランジ
１７…組端子台
１８…コードブッシュ
２０…ＬＥＤユニット
２１…ケース
２２…取付部
２３…ＬＥＤ
２４…基板
３０…視角制限プレート
３１…プレート板
３２…光遮断部
【図１】
2014127136.tif 000003
【図２】
2014127136.tif 000004
【図３】
2014127136.tif 000005
【図４】
2014127136.tif 000006
【図５】
2014127136.tif 000007
【図６】
2014127136.tif 000008
【図７】
2014127136.tif 000009
【図８】
2014127136.tif 000010